(57)【要約】【課題】大規模災害等で操作卓が使用不可能な状態になった場合でも、屋外子局から市内全域に拡声通報を実施可能な無線通信システムおよび通信方法を提供することにある。【解決手段】無線通信システムは、電話機を具備する操作卓と、記憶装置を含む基地局と、中継局と、スピーカーと電話機を含む屋外子局と、を具備する。前記屋外子局の前記電話機から前記操作卓の前記電話機へ特番ダイヤルを用いた連絡通信が行われると、前記基地局の前記記憶装置に、前記屋外子局の前記電話機からの音声が録音される。前記記憶装置に録音された前記音声は、前記屋外子局の前記スピーカーから拡声通報される。【選択図】図７
2019159516.tif 000002
【特許請求の範囲】
【請求項１】
電話機を具備する操作卓と、
記憶装置を含む基地局と、
中継局と、
スピーカーと電話機を含む屋外子局と、を具備し、
前記屋外子局の前記電話機から前記操作卓の前記電話機へ特番ダイヤルを用いた連絡通話が行われると、前記基地局の前記記憶装置に、前記屋外子局の前記電話機からの音声が録音され、
前記記憶装置に録音された前記音声は、前記屋外子局の前記スピーカーから拡声通報される、無線通信システム。
【請求項２】
電話機を具備する操作卓と、
基地局と、
記憶装置を含む中継局と、
スピーカーと電話機を含む屋外子局と、を具備し、
前記屋外子局の前記電話機から前記操作卓の前記電話機へ特番ダイヤルを用いた連絡通話が行われると、前記中継局の前記記憶装置に、前記屋外子局の前記電話機からの音声が録音され、
前記記憶装置に録音された前記音声は、前記屋外子局の前記スピーカーから拡声通報される、無線通信システム。
【請求項３】
屋外子局の電話機から操作卓の電話機へ特番ダイヤルを用いた連絡通話を行う工程と、
前記連絡通話を基地局または中継局で受信する工程と、
前記連絡通話の受信に基づいて、前記基地局の記憶装置または前記中継局の記憶装置に、前記屋外子局の前記電話機からの音声を録音する工程と、
前記記憶装置に録音された音声を、前記屋外子局のスピーカーから拡声通報する工程と、を含む無線通信システムの通信方法。
【発明の詳細な説明】
【技術分野】
【０００１】
本開示は無線通信システムに関し、特に、市町村防災無線同報系システム等の防災無線通信システムおよびその通信方法に適用可能である。
【背景技術】
【０００２】
市町村防災無線同報系システム等の防災無線通信システムでは、市役所や消防署などにユーザが操作する１台の操作卓と、無線通信用の電波を出力する1台の基地局と、その傘下の市内に、複数の中継局と、複数の子局と、が設けられて構成される。子局は、複数の屋外拡声子局や複数の戸別受信機などの受信装置で構成される。
【先行技術文献】
【特許文献】
【０００３】
【特許文献１】特開２０１１―１８２２３８号公報
【特許文献２】特開２０１６―０６３４６２号公報
【発明の概要】
【発明が解決しようとする課題】
【０００４】
操作卓は、通常、大規模災害に耐えられる市役所や消防署などの建屋に納められているが、必ずしも市役所や消防署などの建屋が大規模災害に耐えられる保証がされているわけではない。大規模災害で、操作卓が使用不可能な状態になると、屋外拡声子局が無事であっても、防災無線システム全体が機能しなくなる可能性が考えられる。
【０００５】
また、操作卓からの拡声通報が不可能な状態になったとき、拡声通報を行う手段として、屋外拡声子局からの自局放送がある。しかし、この方法は、当該屋外拡声子局の周辺地域のみしか、拡声通報の放送が出来ない。
【０００６】
本発明の課題は、大規模災害等で操作卓が使用不可能な状態になった場合でも、屋外拡声子局から市内全域に拡声通報を実施可能な無線通信システムおよび通信方法を提供することにある。
【０００７】
その他の課題と新規な特徴は、本明細書の記述および添付図面から明らかになるであろう。
【課題を解決するための手段】
【０００８】
本開示のうち代表的なものの概要を簡単に説明すれば下記の通りである。
【０００９】
すなわち、無線通信システムは、電話機を具備する操作卓と、記憶装置を含む基地局と、中継局と、スピーカーと電話機を含む屋外子局と、を具備する。前記屋外子局の前記電話機から前記操作卓の前記電話機へ特番ダイヤルを用いた連絡通信が行われると、前記基地局の前記記憶装置に、前記屋外子局の前記電話機からの音声が録音される。前記記憶装置に録音された前記音声は、前記屋外子局の前記スピーカーから拡声通報される。
【発明の効果】
【００１０】
上記無線通信システムによれば、大規模災害等で操作卓が使用不可能な状態になった場合でも、屋外拡声子局から市内全域に拡声通報を実施可能である。
【図面の簡単な説明】
【００１１】
【図１】実施例に係る無線通信システムの構成例を説明するための図である。
【図２】操作卓の構成例を示すブロック図である。
【図３】基地局の構成例を示すブロック図である。
【図４】中継局の構成例を示すブロック図である。
【図５】屋外拡声子局の構成例を示すブロック図である。
【図６】実施例に係る無線通信システムの平常時における連絡通話の動作シーケンスを示す図である。
【図７】実施例に係る無線通信システムの災害発生時における拡声通報の動作シーケンスを示す図である。
【図８】実施例に係る無線通信システムの災害発生時における拡声通報の取り消しの動作シーケンスを示す図である。
【図９】変形例に係る無線通信システムの災害発生時における拡声通報の動作シーケンスを示す図である。
【発明を実施するための形態】
【００１２】
以下、実施例について、図面を用いて説明する。ただし、以下の説明において、同一構成要素には同一符号を付し繰り返しの説明を省略することがある。なお、図面は説明をより明確にするため、実際の態様に比べ、各部について模式的に表される場合があるが、あくまで一例であって、本発明の解釈を限定するものではない。
【実施例】
【００１３】
図１は実施例に係る無線通信システムの構成例を説明するための図である。無線通信システム１は、市町村防災無線同報系システム等の防災無線通信システムの構成例を示している。無線通信システム１は、親局設備１０と、中継局設備２０と、子局設備３０と、を含んで構成される。
【００１４】
親局設備１０は、操作卓１１と、基地局１２と、を含む。操作卓１１は、例えば、大規模災害に耐えられる市役所や消防署などの建屋に納められている。基地局１２は、例えば、操作卓１１の納めされている建屋とは異なる場所に設けられた大規模災害に耐えられる建屋、あるいは、山頂等に設けられた大規模災害に耐えられる局舎等に納められる。このようにして、大規模災害時において、基地局１２の生存率を向上させる工夫が施される。操作卓１１と基地局１２との間は、例えば、通信配線ケーブルＣＡ等を用いた有線通信により接続される。なお、操作卓１１と基地局１２との間は、無線ＬＡＮ等の無線通信により接続されても良い。
【００１５】
操作卓１１は、無線送受信装置としての基地局１２に対して、子局設備３０を起動するための起動信号を含む各種制御信号の送出や、操作員による緊急情報等の音声信号の送出等を行う。
【００１６】
基地局１２は、操作卓１１からの起動信号を含む各種制御信号や緊急情報等の音声信号を受信し、複数の中継局２１を含む中継設備２０、複数の屋外拡声子局３１および複数の戸別受信機３２等の子局設備３０に対して、起動信号を含む各種制御信号や、緊急情報等の音声信号の無線送信を行う。
【００１７】
図１に示されるように、基地局１２は無線送受信用のアンテナＡＴ１を備えており、操作卓１１から受信した制御信号や音声信号等を、アンテナＡＴ１から中継局２１に設けられた基地局通信用のアンテナＡＴ２へ無線で送信する。中継局２１は、アンテナＡＴ２から受信した無線信号を、中継局２１に設けられた子局通信用のアンテナＡＴ３から無線で送信する。中継局２１のアンテナＡＴ３から送信された無線信号は、屋外拡声子局３１のアンテナＡＴ４、戸別受信機３２のアンテナで受信される。
【００１８】
また、屋外拡声子局３１からの各種制御信号や音声信号の通信は、屋外拡声子局３１のアンテナＡＴ４から無線送信され、中継局２１のアンテナＡＴ３、中継局２１のアンテナＡＴ２、基地局１２のアンテナＡＴ１および通信配線ケーブルＣＡを経由して、操作卓１１で受信される。
【００１９】
すなわち、アンテナＡＴ１とアンテナＡＴ２との間、およびアンテナＡＴ３とアンテナＡＴ４との間は、無線送受信によって、相互の通信が可能である。
【００２０】
図２は、操作卓１１の構成例を示すブロック図である。図３は、基地局１２の構成例を示すブロック図である。図４は、中継局２１の構成例を示すブロック図である。図５は、屋外拡声子局３１の構成例を示すブロック図である。
【００２１】
操作卓１１は、図２に示されるように、入出力部１１０と、制御部１１１と、基地局１２との有線インターフェース部を構成する通信部１１２と、電話機１１３と、を備えている。操作卓１１は、操作員が手動により配信情報を作成し放送等を行うためのものである。入出力部１１０は、操作員が入力するためのキーボード等の入力手段や、ＬＣＤディスプレイ等の表示出力手段を備える。制御部１１１は、入出力部１１０からの入力情報に基づき配信情報を作成し、また、通信部１１２に対して、複数の屋外拡声子局３１および複数の戸別受信機３２等の子局設備３０に対して、起動するための起動信号を含む各種制御信号や、配信情報である音声信号の送出等を行う。制御部１１１は、ハードウエア構成としては、ＣＰＵ（Central  Processing  Unit）と制御部１１１の動作プログラム等を格納するメモリを備えており、制御部１１１内のＣＰＵは、この動作プログラムに従って動作する。
【００２２】
基地局１２は、図３に示されるように、制御部１２０と、操作卓１１との有線インターフェース部としての通信部１２１と、記憶装置１２２と、アンテナＡＴ１を有する無線部１２３と、を備える。無線部１２３は、中継局２１と間の無線による送受信を行う。制御部１２０は、基地局１２の動作全体を制御する。制御部１２０は、また、操作卓１１で作成した配信情報に基づき配信情報を作成する。制御部１２０は、ハードウエア構成としては、ＣＰＵ（Central  Processing  Unit）を備えており、制御部１２０の動作プログラム等は記憶装置１２２に格納されている。制御部１２０内のＣＰＵは、この動作プログラムに従って動作する。記憶装置１２２は、リードオンリメモリＲＯＭ、ランダムアクセスメモリＲＡＭ、または、ＲＯＭとＲＡＭとの組み合わせメモリ等を採用することが可能である。
【００２３】
中継局２１は、図４に示されるように、制御部２１０と、アンテナＡＴ２を有する無線部２１１と、記憶装置２１２と、アンテナＡＴ３を有する無線部２１３と、を備える。無線部２１１は、基地局１２との無線インターフェース部であり、無線部２１３は、複数の屋外拡声子局３１および複数の戸別受信機３２等の子局設備３０と間の無線インターフェース部である。制御部２１０は、中継局２１の動作全体を制御する。制御部２１０は、ハードウエア構成としては、ＣＰＵ（Central  Processing  Unit）を備えており、制御部２１０の動作プログラム等は記憶装置２１２に格納されている。制御部２１０内のＣＰＵは、この動作プログラムに従って動作する。記憶装置２１２は、リードオンリメモリＲＯＭ、ランダムアクセスメモリＲＡＭ、または、ＲＯＭとＲＡＭとの組み合わせメモリ等を採用することが可能である。
【００２４】
子局設備３０の屋外拡声子局３１は、図５に示されるように、制御部３１０と、アンテナＡＴ４を有する無線部３１１と、スピーカー３１３を有する拡声部３１２と、電話機３１４と、を備えている。制御部３１０は、屋外拡声子局３１の動作全体を制御するとともに、親局設備１０から送信された配信情報を音声信号に変換する。無線部３１１は、中継局２１との無線インターフェース部であり、無線送受信を行う。拡声部３１２は、制御部３１０から出力される音声信号を増幅（拡声）する。スピーカー３１３は、拡声された音声信号を音声として出力する。制御部３１０は、ハードウエア構成としては、ＣＰＵ（Central  Processing  Unit）と制御部３１０の動作プログラム等を格納するメモリを備えており、制御部３１０内のＣＰＵは、この動作プログラムに従って動作する。
【００２５】
操作卓１１と屋外拡声子局３１との間には連絡通話機能が設けられている。この連絡通話機能は、屋外声子局３１の電話機３１４のハンドセットから電話をかけるように操作することで、操作卓１１に接続されている電話機１１３に通信を行うことが出来る。屋外拡声子局３１から連絡通話を行ったとき、電波と音声は中継局２１、基地局１２を中継し、操作卓１１の電話機１１３に届くようになっている。
【００２６】
大規模災害で操作卓１１が納められた庁舎などが倒壊し、操作卓１１からの放送が不可能な状況になったときでも、基地局１２の設備が無事であり、基地局１２に電源が供給されていれば、屋外拡声子局３１の電話機３１４から操作卓１１の電話機１１３へ連絡通話をかけるように電話をかけることが出来る。このとき、特殊な番号を使用して連絡通話を実施する。
【００２７】
連絡通話を受信した基地局１２は、操作卓１１の電話機１１３にこの連絡通話を接続せず、基地局１２内の記憶装置１２２に音声を録音する。屋外拡声子局３１は、また、電話機３１４のハンドセットからの操作で、上下チャイムやサイレンを交えながら拡声通報を実施するように、連絡通話を実施する。
【００２８】
基地局１２は、屋外拡声子局３１からの連絡通話の内容を全て、記憶装置１２２に録音する。そして、屋外拡声子局３１からの連絡通話が終了してから一定時間経過後、基地局１２は、記憶装置１２２に録音された音声の内容を、基地局１２の傘下の全ての中継局２１を介して、全ての屋外拡声子局３１や戸別受信機３２へ自動で配信し、拡声通報を開始させる。基地局１２は、通常の拡声通報と同じく放送を実施し、通報中になったところで録音した音声を再生する。再生が終了したところで、自動終話すれば、あたかも操作卓１１から拡声通報を実施したかのような操作が可能となる。
【００２９】
これにより、大規模災害で操作卓１１が納められた庁舎などが倒壊し、操作卓１１からの放送が不可能な状況になった場合でも、基地局１２が稼働可能な状態であれば、傘下の全ての屋外拡声子局３１や戸別受信機３２を含む子局設備３０へ拡声通報を行う事か可能である。
【００３０】
次に、無線通信システム１の動作シーケンスを説明する。図６は、実施例に係る無線通信システムの平常時における連絡通話の動作シーケンスを示す図である。図７は、実施例に係る無線通信システムの災害発生時における拡声通報の動作シーケンスを示す図である。図８は、実施例に係る無線通信システムの災害発生時における拡声通報の取り消しの動作シーケンスを示す図である。
【００３１】
（平常時における連絡通話の動作）
まず、平常時における連絡通話の動作シーケンスを、図６を用いて説明する。ここでいう平常時とは、操作卓１１が納められた庁舎などが倒壊していない様な場合を意味しており、操作卓１１および電話機１１３は、利用可能な状態であるものとする。平常時における連絡通話は、例えば、屋外拡声子局３１に設置された電話機３１４から操作卓１１に設置された電話機１１３へ通話を行うものである。
【００３２】
図６に示されるように、まず、屋外拡声子局３１に設置された電話機３１４の受話器を取って、操作卓１１の電話機１１３宛にダイヤルし、連絡通話の呼び出し（６０１）を行う。これにより、連絡通話開始信号が中継局２１を経由して、基地局１２へ送信（６０２）され、その後、基地局１２から操作卓１１へ送信（６０３）される。操作卓１１は、連絡通話開始信号の受信に応答して、電話機１１３の呼び出し音（ベル）を鳴動させる（ＲＧ鳴動：６０４）。操作卓１１は、また、連絡通話開始信号の受信に基づいて、電話機１１３を呼び出し中であることを、応答信号として基地局１２へ送信（６０５）する。基地局１２は、受信した応答信号を、中継局２１を経由して、屋外拡声子局３１の電話機３１４へ送信（６０６）する。これにより、電話機３１４の受話器では、電話機１１３を呼び出し中であるリングバックトーン（ＲＢＴ）が鳴動（ＲＢＴ鳴動：６０７）する。
【００３３】
操作卓１１の電話機１１３の受話器が取られると（ＯＦＦ  ＨＫ：６０８）、操作卓１１は接続信号を基地局１２へ送信（６０９）する。接続信号は、基地局１２から中継局２１を介して、電話機３１４へ送信（６１０）される。これにより、電話機３１４の受話器では、リングバックトーンの鳴動が停止（６１１）されて、電話機３１４と電話機１１３との間が回線接続状態とされて、連絡通話が可能な状態となる。そして、電話機３１４と電話機１１３との間の音声による通話が行われる（６１２）。
【００３４】
電話機３１４の受話器が戻される（置かれる）と（ＯＮ  ＨＫ：６１３）、電話機３１４と電話機１１３との間の音声の通話が終了し、電話機３１４と電話機１１３との間の回線接続が切断される。切断信号は、電話機３１４から中継局２１を経由して、基地局１２へ送信（６１４）され、その後、基地局１２から操作卓１１へ送信（６１５）される。これにより、電話機１１３では、終話状態である旨のビジートーン（ＢＴ）が鳴動（６１６）する。
【００３５】
（災害発生時における拡声通報の動作シーケンス）
次に、災害発生時における拡声通報の動作シーケンスを、図７を用いて説明する。ここでいう災害発生時とは、操作卓１１が納められた庁舎などが倒壊した様な場合を意味しており、操作卓１１および電話機１１３は、利用不可能な状態であるものとする。図７において、点線で示される部分（操作卓１１、電話機１１３）は、使用不可能なことを示す。
【００３６】
まず、屋外拡声子局３１に設置された電話機３１４の受話器を取って、操作卓１１の電話機１１３宛に特番ダイヤルを用いて、連絡通話（特番）の呼び出し（７０１）を行う。特番ダイヤルは、通常の連絡通話と間違えて押さないように考慮することが望ましい。また、ダイヤルの後半で対象局を指定するようにするのが良い。ダイヤルの後半で対象局を指定する例としては、０００００ならば一括、１３０００ならば屋外拡声子局１３０００番宛、８００１０ならばグループ１０宛のようにすることが出来る。
【００３７】
連絡通話（特番）の呼び出し（７０１）は、連絡通話開始（拡声通報特番）信号として中継局２１を経由して、基地局１２へ送信（７０２）される。連絡通話開始（拡声通報特番）信号を受信した基地局１２は、ダイヤルが特番か否かを判定する。ダイヤルが特番であれば、通常の連絡通話と同じく音声をデコード処理するが、操作卓１１の電話機１１３には接続しない。
【００３８】
基地局１２は、また、連絡通話開始（拡声通報特番）信号の受信に基づいて、呼び出し中であることを応答として、中継局２１を経由して、屋外拡声子局３１の電話機３１４へ送信（７０３）する。これにより、電話機３１４の受話器では、呼び出し中であるリングバックトーン（ＲＢＴ）が鳴動（ＲＢＴ鳴動：７０４）する。基地局１２は、ダイヤルが特番であるとの判定に基づいて、接続信号を、中継局２１を介して、電話機３１４へ送信（７０５）する。これにより、電話機３１４の受話器では、リングバックトーンの鳴動が停止（７０６）されて、電話機３１４と基地局１２との間が回線接続状態とされて、連絡通話（特番）が可能な状態となる。そして、電話機３１４と基地局１２との間の音声による通話が行われる（７０７）。
【００３９】
基地局１２は、ダイヤルが特番であるとの判定に基づいて、電話機３１４と基地局１２との間の音声通話の全てを、基地局１２内の記憶装置１２２に音声データとして録音（７０８）し、保存する。特番ダイヤルで連絡通話（特番）を行った場合、屋外拡声子局３１の電話機３１４のメニューとして、上下チャイムの指示、及び、サイレンの鳴動の指示を行うことが出来る。上下チャイムの指示とは、拡声通報の最初および拡声通報の最後にチャイム音を屋外拡声子局３１のスピーカー３１３から鳴らすか否かの指示を示している。また、サイレンの鳴動の指示とは、サイレン音をスピーカー３１３から鳴らすか否かの指示を示している。
【００４０】
拡声通報の内容の録音が完了すると、電話機３１４の受話器が戻され（ＯＮ  ＨＫ：７０９）、電話機３１４と基地局１２との間の音声の連絡通話（特番）が終話し、電話機３１４と基地局１２との間の回線接続が切断される。切断信号は、電話機３１４から中継局２１を経由して、基地局１２へ送信（７１０）される。
【００４１】
基地局１２は、電話機３１４と基地局１２との間の回線接続の切断（連絡通話（特番）の終話）から、一定時間経過後、操作卓１１からの発呼指示なしに、記憶装置１２２に録音された音声データの拡声通報を開始する（７１１）。これにより、記憶装置１２２に録音された音声データが再生され（７１２）、基地局１２の傘下の全ての屋外拡声子局３１や戸別受信機３２を含む子局設備３０へ配信されて、拡声通報が行われる（７１３）。これにより、記憶装置１２２に録音された音声データの内容が、屋外拡声子局３１のスピーカー３１３や戸別受信機３２のスピーカーから通報される。拡声通報が終了すると、基地局１２から基地局１２の傘下の全ての屋外拡声子局３１や戸別受信機３２を含む子局設備３０へ終話指示が行われる（７１４）。
【００４２】
ここで、無線区間のスロット数は全６スロット（スロット０−スロット５）であり、この内、音声用に割り当てられているスロット数は４スロットである。拡声通報の実施時には、下り音声チャネルとされる４スロット（スロット１、２、４、５の４スロット）全てを使用して、基地局１２内の記憶装置１２２に録音された音声データを子局（３１、３２）へ送信する。一方、子局３１の電話機３１４の音声を基地局１２の記憶装置１２２に録音する場合、上り音声チャネルとされる１スロット（スロット４の１スロット）を使用して音声が子局３１から基地局１２へ伝達される。したがって、録音時と拡声通報時では、スロット４の使用方法が異なるため、録音と拡声通報とは同時には実施することが出来ないことになる。よって、一旦、基地局１２の記憶装置１２２に音声通話（放送内容）の全てを録音し、その後、拡声通報を行うのが良い。
【００４３】
（災害発生時における拡声通報の取り消しの動作）
連絡通話（特番）の終話（７１０）から一定時間経過後に、拡声通報開始（７１１）を発呼するのは、拡声通報の内容の記憶装置１２２への録音が失敗した場合を想定し、拡声通報の開始を取り消す猶予が必要なためである。録音に失敗した場合など、拡声通報の放送を取り消す場合、別の特番ダイヤルで連絡通話（取消特番）を行うようにダイヤルする。これにより、直前に記憶装置１２２に録音された音声データの拡声通報を取り消すことが出来る。
【００４４】
災害発生時における拡声通報の取り消しの動作シーケンスを、図８を用いて説明する。なお、図８において、図７に記載されたシーケンスと同様な部分（７０１−７１０）の説明は省略する。
【００４５】
切断信号が電話機３１４から中継局２１を経由して、基地局１２へ送信（７１０）されてから、一定時間を経過する前に（一定時間内に）、記憶装置１２２に録音された音声データの内容に変更、修正または追加すべき事項があった場合、電話機３１４から基地局１２へ特番ダイヤルを用いて連絡通話（取消特番）を行うようにダイヤルする（８０１）。これにより、連絡通話開始（取消特番）信号が、中継局２１を経由して、基地局１２へ送信される（８０２）。
【００４６】
連絡通話開始（取消特番）信号は、拡声通報開始（図７の７１１）の発呼動作を中止する指示である。基地局１２は、ダイヤルが連絡通話開始（取消特番）か否かを判定し、連絡通話開始（取消特番）である場合、拡声通報開始の発呼動作を中止する。基地局１２は、また、連絡通話開始（取消特番）信号の受信の応答信号を、電話機３１４へ送信する（８０３）。これにより、電話機３１４の受話器では、呼び出し中であるリングバックトーン（ＲＢＴ）が鳴動（ＲＢＴ鳴動：８０４）する。基地局１２は、その後、接続信号を、中継局２１を介して、電話機３１４へ送信（８０５）する。これにより、電話機３１４の受話器では、リングバックトーンの鳴動が停止（ＲＢＴ停止：８０６）されて、電話機３１４と基地局１２との間が回線接続状態とされる。これにより、拡声通報開始の発呼動作の中止が電話機３１４へ連絡されたことになる。
【００４７】
連絡通話開始（取消特番）が完了すると、電話機３１４の受話器が戻され（ＯＮ  ＨＫ：８０７）、電話機３１４と基地局１２との間の連絡通話（取消特番）が終話し、電話機３１４と基地局１２との間の回線接続が切断される。切断信号は、電話機３１４から中継局２１を経由して、基地局１２へ送信（８０８）される。
【００４８】
以上の様に、連絡通話開始（取消特番）を設けることにより、不所望な音声データの拡声通報を中止し、再度、図７に示される動作シーケンスを実施することにより、所望の内容の音声データを記憶装置１２２に録音することが可能となる。これにより、所望の内容の拡声通報を子局設備３０（３１、３２）から行うことが可能になる。
【００４９】
実施例によれば、以下の１または複数の効果が得られる。
【００５０】
（１）市町村防災無線通信システムの様な無線通信システム１において、操作卓１１が操作不可能な状態になっても、基地局１２が機能していれば、屋外拡声子局３１がある場所を市の防災司令本部（拠点）として機能させることが出来る。
【００５１】
（２）災害により市町村役場が被害を受け放送起動元である操作卓が使用不可となった場合であっても、屋外拡声子局３１から市内全域に拡声通報の放送を実施することができる。
【００５２】
（３）特番ダイヤルとして連絡通話（特番）を設ける。屋外拡声子局３１の電話機３１４から特番ダイヤルを用いて連絡通話（特番）を基地局１２へ送信する。これにより、拡声通報の内容の音声データが、基地局１２の記憶装置１２２へ録音され、録音した音声データが拡声通報として、基地局１２の傘下の全ての子局設備３０（３１、３２）へ送付できる。
【００５３】
（４）連絡通話を利用するので、新規設備の増設なしに、屋外拡声子局３１から拡声通報を行うことが出来る。
【００５４】
（５）特番ダイヤルを利用するので、連絡通話（特番）の操作性は、通常の連絡通話とほぼ同様の操作で実施可能である。
【００５５】
（６）特番ダイヤルに、連絡通話（取消特番）を設けるので、拡声通報開始の発呼動作を中止することが可能になる。記憶装置１２２に録音された音声データの内容に変更、修正または追加すべき事項があった場合、直前に記憶装置１２２に録音した音声データの子局設備３０（３１、３２）からの拡声通報が中止できる。
【００５６】
（変形例）
次に変形例について説明する。上記実施例では、基地局１２の記憶装置１２２に屋外拡声子局３１からの連絡通話の内容を全て録音するとして説明したが、それに限定されない。中継局２１の記憶装置２１２に屋外拡声子局３１からの連絡通話（特番）の内容を全て録音することも可能である。
【００５７】
変形例に係る災害発生時における拡声通報の動作シーケンスを、図９を用いて説明する。ここでいう災害発生時とは、操作卓１１が納められた庁舎などが倒壊した様な場合を意味しており、操作卓１１および電話機１１３は、利用不可能な状態であるものとする。さらに、基地局１２も利用不可能な状態であるものとする。図９において、点線で示される部分（操作卓１１、電話機１１３、基地局１２）は、使用不可能なことを示す。なお、図１に示すように、複数の中継局２１が設けられる場合は、各々の中継局２１で別々に、図９で示される拡声通報を行うのが好ましい。
【００５８】
まず、屋外拡声子局３１に設置された電話機３１４の受話器を取って、操作卓１１の電話機１１３宛に特番ダイヤルを用いて、連絡通話（特番）の呼び出し（９０１）を行う。特番ダイヤルは、通常の連絡通話と間違えて押さないように考慮することが望ましい。また、ダイヤルの後半で対象局を指定するようにするのが良い。
【００５９】
連絡通話（特番）の呼び出し（９０１）は、連絡通話開始（拡声通報特番）信号として中継局２１へ送信（９０２）される。連絡通話開始（拡声通報特番）信号を受信した中継局２１は、ダイヤルが特番か否かを判定する。ダイヤルが特番であれば、通常の連絡通話と同じく音声をデコード処理するが、操作卓１１の電話機１１３には接続しない。
【００６０】
中継局２１は、また、連絡通話開始（拡声通報特番）信号の受信に基づいて、呼び出し中であることを応答として、屋外拡声子局３１の電話機３１４へ送信（９０３）する。これにより、電話機３１４の受話器では、呼び出し中であるリングバックトーン（ＲＢＴ）が鳴動（ＲＢＴ鳴動：９０４）する。中継局２１は、ダイヤルが特番であるとの判定に基づいて、接続信号を、電話機３１４へ送信（９０５）する。これにより、電話機３１４の受話器では、リングバックトーンの鳴動が停止（９０６）されて、電話機３１４と基地局１２との間が回線接続状態とされて、連絡通話（特番）が可能な状態となる。そして、電話機３１４と中継局２１との間の音声による通話が行われる（９０７）。
【００６１】
中継局２１は、ダイヤルが特番であるとの判定に基づいて、電話機３１４と中継局２１との間の音声通話の全てを、中継局２１内の記憶装置２１２に音声データとして録音（９０８）し、保存する。特番ダイヤルで連絡通話（特番）を行った場合、屋外拡声子局３１の電話機３１４のメニューとして、上下チャイムの指示、及び、サイレンの鳴動の指示を行うことが出来る。上下チャイムの指示とは、拡声通報の最初および拡声通報の最後にチャイム音を屋外拡声子局３１のスピーカー３１３から鳴らすか否かの指示を示している。また、サイレンの鳴動の指示とは、サイレン音をスピーカー３１３から鳴らすか否かの指示を示している。
【００６２】
拡声通報の内容の録音が完了すると、電話機３１４の受話器が戻され（ＯＮ  ＨＫ：９０９）、電話機３１４と中継局２１との間の音声の連絡通話（特番）が終話し、電話機３１４と基地局１２との間の回線接続が切断される。切断信号は、電話機３１４から中継局２１へ送信（９１０）される。
【００６３】
中継局２１は、電話機３１４と中継局２１との間の回線接続の切断（連絡通話（特番）の終話）から、一定時間経過後、操作卓１１からの発呼指示なしに、記憶装置２１２に録音された音声データの拡声通報を開始する（９１１）。これにより、記憶装置２１２に録音された音声データが再生され（９１２）、中継局２１の傘下の全ての屋外拡声子局３１や戸別受信機３２を含む子局設備３０へ配信されて、拡声通報が行われる（９１３）。これにより、記憶装置１２２に録音された音声データの内容が、屋外拡声子局３１のスピーカー３１３や戸別受信機３２のスピーカーから通報される。拡声通報が終了すると、中継局２１から中継局２１の傘下の全ての屋外拡声子局３１や戸別受信機３２を含む子局設備３０へ終話指示が行われる（９１４）。
【００６４】
なお、この場合にも、図８で説明されたと同様に、連絡通話（特番）の終話（９１０）から一定時間経過後に、拡声通報開始（９１１）を発呼するのは、拡声通報の内容の記憶装置２１２への録音が失敗した場合を想定し、拡声通報の開始を取り消す猶予が必要なためである。録音に失敗した場合など、拡声通報の放送を取り消す場合、一定時間を経過する前に（一定時間内に）、別の特番ダイヤルで連絡通話（取消特番）を行うようにダイヤルする。これにより、直前に記憶装置２１２に録音された音声データの拡声通報を取り消すことが出来る。
【００６５】
変形例によれば、操作卓１１および基地局１２が利用不可能な状態であっても、中継局２１の記憶装置２１２に拡声通報の音声データを録音し再生することで、中継局２１の傘下の全ての屋外拡声子局３１や戸別受信機３２を含む子局設備３０へ配信することが可能となる。
【００６６】
以上、本発明者によってなされた発明を実施例に基づき具体的に説明したが、本発明は、上記実施形態および実施例に限定されるものではなく、種々変更可能であることはいうまでもない。
【００６７】
実施例および変形例では、屋外拡声子局３１の電話機３１４から操作卓１１の電話機１１３へ特番ダイヤルで連絡通話（特番）をダイヤルすると説明したが、これに限定されない。屋外拡声子局３１の電話機３１４から直接、基地局１２、または、中継局２１へ連絡通話（特番）をダイヤルし、基地局１２の記憶装置１２２または中継局２１の記憶装置２１２へ連絡通話の内容を全て録音することも可能である。
【００６８】
図３、図４では、基地局１２および中継局２１に電話機が設置されていない構成を示したが、これに限定されない。基地局１２および中継局２１に電話機を設けても良い。この場合、屋外拡声子局３１の電話機３１４から直接、基地局１２の電話機、または、中継局２１の電話機へ連絡通話（特番）をダイヤルし、基地局１２の記憶装置１２２または中継局２１の記憶装置２１２へ連絡通話の内容を全て録音することも可能である。
【符号の説明】
【００６９】
１：無線通信システム
１１：操作卓
１２：基地局
２１：中継局
３１：屋外拡声子局
１１３、３１４：電話機
１２２、２１２：記憶装置
３１３：スピーカー
【図１】
2019159516.tif 000003
【図２】
2019159516.tif 000004
【図３】
2019159516.tif 000005
【図４】
2019159516.tif 000006
【図５】
2019159516.tif 000007
【図６】
2019159516.tif 000008
【図７】
2019159516.tif 000009
【図８】
2019159516.tif 000010
【図９】
2019159516.tif 000011